(57)【要約】【課題】ロール材シートを巻取りボビンで巻き取る際に、巻取りボビンに巻き崩れが起きないようにする。【解決手段】製造ライン上で送出されるロール材シート３を巻き取る巻取りボビン７と、前記ロール材シート３のエッジ３Ａを検出するセンサ３１を備えたロール材端部検出装置３３と、前記センサ３１の位置と前記ロール材シート３のエッジ３Ａとを常時一致させる方向に前記ロール材端部検出装置３３と巻取りボビン７を一体的に移動せしめる可動装置２５と、を備えたロール材巻取り装置において、前記ロール材シート３の搬送方向と同方向で、かつ前記ロール材端部検出装置３３のセンサ３１の位置を通過する直線上で前記巻取りボビン７にロール材シート３のセット位置を表示するセット位置表示手段３５を設けてなることを特徴とする。【選択図】図１
2008239285.tif 000002
【特許請求の範囲】
【請求項１】
製造ライン上で送出されるロール材シートを巻き取る巻取りボビンと、前記ロール材シートのエッジを検出するセンサを備えたロール材端部検出装置と、前記センサの位置と前記ロール材シートのエッジとを常時一致させる方向に前記ロール材端部検出装置と巻取りボビンを一体的に移動せしめる可動装置と、を備えたロール材巻取り装置において、
前記ロール材シートの搬送方向と同方向で、かつ前記ロール材端部検出装置のセンサの位置を通過する直線上で前記巻取りボビンにロール材シートのセット位置を表示するセット位置表示手段を設けてなることを特徴とするロール材巻取り装置。
【請求項２】
前記セット位置表示手段が、前記ロール材端部検出装置と巻取りボビンの移動と連動する構成であることを特徴とする請求項１記載のロール材巻取り装置。
【請求項３】
前記セット位置表示手段が、前記巻取りボビンの表面にレーザ線を表示するレーザポインタであることを特徴とする請求項１又は２記載のロール材巻取り装置。
【発明の詳細な説明】
【技術分野】
【０００１】
この発明は、ロール材巻取り装置に関し、特に製造ライン上で送出されるロール材シートを巻取りボビンで巻き取る際に、巻取りボビンに巻き崩れが起きないようにするロール材巻取り装置に関する。
【背景技術】
【０００２】
近年、プリント配線板、例えばＦＰＣ（Flexible Printed Circuit）は生産量が急増している。従来、プリント配線板の製造方法としては、プリント配線板の素材としての例えば所定の幅を具備したシート状の銅張積層板（ＣＣＬ）からなる薄い板状の部材の両面に回路を形成するものであり、長いシート状のＣＣＬ（ポリイミド等の薄い板状のベース部材の両面に薄い導体膜が形成されている部材）を所定の長さの単板（枚葉）に切断し、この切断された各単板を互いに重ね合わせて貫通孔を同時にあけ、この貫通孔にスルーホールメッキを施し、このスルーホールメッキが施された各単板の両面の導体膜に、エッチング等によって回路を形成する方法が知られている。
【０００３】
なお、上記のスルーホールメッキは、前記プリント配線板の両面に形成された回路同士を互いに電気的に接続するために行われるものである。
【０００４】
また、前記従来の方法では、前記スルーホールメッキが施された各単板に対して回路を設ける際に、１枚ずつ離されている各単板ごとに回路を形成している。
【０００５】
ところが、近年、ワークの薄板化や微細化が進行しており、従来の人手によるハンドリングでは取扱いが難しくなってきている。そのために、ロール・ツゥ・ロール（Ｒ−Ｒ）方式での工程処理が検討されており、例えば、ＦＰＣはロール状にて生産することが主流になりつつある。ロール処理の方法のメリットは、ハンドリングの容易さ、省人化がし易い、大量生産向きなどによる「生産コストの低減」、「厚みが薄い高付加価値製品の生産が可能となる」などが挙げられる。
【０００６】
近年、回路形成工程などにおいて、最初は従来と同じくロール状で供給される材料を最初に枚葉にカットした後、穿孔、スルーホールメッキ等の工程処理し、途中の工程で前記スルーホールメッキを施した各枚葉が接続用テープなどを用いて互いに接続（貼り合せ）して長く形成してロール状に巻かれる。この長く接続された各単板がロールから繰り出されてその長手方向に送られつつ、前記各単板の両面に回路を形成し、別のロールに巻き取られ、ある工程で枚葉に切り離すといった部分的なロール・ツゥ・ロール工程が構築されてきている。
【０００７】
上記のようなロール・ツゥ・ロール工程においては、例えば長く接続された各単板の両面に回路を形成した後に、ロール材巻取り装置にて別のロールに巻き取られている。したがって、ロール材巻取り装置は上記の回路形成を行う装置の直後に設置されている。なお、回路形成を行う装置は、材料整面、現像、エッチングが主な装置である。
【０００８】
図７及び図８を参照するに、従来のロール材巻取り装置１０１としては、ロール材シート１０３の張力を検出するための張力検出部１０５と、この張力検出部１０５を通過後のロール材シート１０３を巻取りボビン１０７に巻き取るための巻取り部１０９が、ベース部１１１の上に設けられている。
【０００９】
上記の張力検出部１０５は、張力検出部本体１１３がベース部１１１の上に固定されており、前記張力検出部本体１１３の側面には例えば３本の張力調整用のローラ１１５Ａ〜１１５Ｃが回転自在に軸承された状態で突出している。なお、３本のローラ１１５Ａ〜１１５Ｃのうちの真ん中のローラ１１５Ｂの両端にはロードセルが仕込まれており、ロール材シート１０３の巻取り張力を一定にするために図８において上下方向に移動する構成である。
【００１０】
また、上記の巻取り部１０９は、巻取り部本体１１７がベース部１１１の上に可動装置１１９を介してロール材シート１０３の幅方向（図７において上下方向）と同方向に揺動可能に設けられている。なお、可動装置１１９は、例えば図７において上下方向に延びる２本のＬＭガイドレールと、このＬＭガイドレール上を移動自在に設けた複数のＬＭガイドとからなり、前記各ＬＭガイドはＬＭガイドレールに沿って設けたボールねじの回転によりナット部材を介して駆動される構成であり、前記巻取り部本体１１７は前記複数のＬＭガイドの上面に固定されている。したがって、前記ボールねじがサーボモータなどの回転駆動装置で正逆回転されることで、巻取り部本体１１７が複数のＬＭガイドを介して図７において上下方向に移動調整される。
【００１１】
さらに、前記巻取り部本体１１７の側面には、ガイドローラ１２１が回転自在に軸承された状態で突出しており、前記ガイドローラ１２１の前方側（図８において右方側）には、ロール材シート１０３を巻き取るための巻取りボビン１０７をセットする巻取り軸１２３が前記巻取り部本体１１７の内部に備えた図示しない巻取り用モータで回転駆動される構成で前記巻取り部本体１１７の側面に突出している。
【００１２】
さらに、前記ガイドローラ１２１の後方側（図７及び８において左方側）には、ロール材シート１０３のエッジ１０３Ａが常に同じラインを通るように制御するためにロール材シート１０３のエッジ１０３Ａを検出するセンサ１２５を備えたエッジポジションセンサ１２７（以下、「ＥＰＣ」という）が前記巻取り部本体１１７の側面に設けられている。
【００１３】
また、上記の可動装置１１９は、ＥＰＣ１２７の信号を受けて図７において上下方向に揺動する構成である。すなわち、ロール材シート１０３が矢印Ａの方向へ移動したときは可動装置１１９により巻取り部本体１１７が矢印Ａの方向へ動き、ロール材シート１０３が矢印Ｂの方向へ移動したときは可動装置１１９により巻取り部本体１１７が矢印Ｂの方向へ移動する。
【００１４】
したがって、ロール材シート１０３のエッジ１０３ＡがＥＰＣ１２７のセンサ１２５の位置から外れると、ＥＰＣ１２７のセンサ１２５の位置でロール材シート１０３のエッジ１０３Ａを検出する方向に前記巻取り部本体１１７を移動せしめるように可動装置１１９が作動する。これに伴って、前記巻取り部本体１１７の同じ側面に設けた巻取りボビン１０７も同じ方向に移動するので、ロール材シート１０３は常時巻取りボビン１０７の同じ位置に巻き取られることとなる。
【００１５】
また、従来の他の巻取り装置としては、特許文献１に示されているように、
印字媒体を巻き取るための駆動力を与える回転軸と、この回転軸に沿って摺動する第１の幅規制板を備えた支管支持部材と、この支管支持部材に沿って摺動する第２の幅規制板を備えた位置決め部材とを有することで、支管が第１及び第２の幅規制板によって長手方向のセンター振り分け位置に位置決めされるものである。
【００１６】
また、特許文献２では、シート巻取装置におけるシート端縁検出用センサの位置決め装置であり、シートの幅が変更されたために、シート端縁検出用センサの位置を変更させるとき、作業者が直接前記センサに触れることなく、前記センサの大移動及び微動を正確に行えるようにするものである。
【００１７】
また、特許文献３では、連続鋼帯の蛇行矯正装置であって、連続鋼板の巻取り機に接近してロールスタンドを設けると共に、前記連続鋼板のエッジ部を検出する鋼板エッジ検出器が設けられている。さらに、前記鋼板エッジ検出器の検出信号に従って前記ロールスタンドを連続鋼板の進行方向に対して傾斜させるロールスタンド位置制御装置が備えられている。連続鋼板を切断後に巻き取る際、この連続鋼板が蛇行を始めると、鋼板エッジ検出器によって蛇行量を検出する。この蛇行量に基づき、ロールスタンド位置制御装置でロールスタンドを傾斜させて鋼板の蛇行を最小にするものである。
【００１８】
また、特許文献４では、ストリップの巻取制御方法であって、ストリップの巻取機において、ストリップのエッジセンサを板の流れ方向の異なる位置に複数個設置し、各エッジセンサの出力によりテンションリールの位置におけるストリップエッジの偏位量を推定し、その偏位を相殺する方向にテンションリール（巻取り部に相当）を移動させて制御するものである。
【特許文献１】特開平１１−１３９６３４号公報
【特許文献２】特開平５−３１９６４９号公報
【特許文献３】特開平８−７１６４６号公報
【特許文献４】特開平７−３９９３４号公報
【発明の開示】
【発明が解決しようとする課題】
【００１９】
ところで、従来のロール材巻取り装置１０１においては、最初に、回路形成装置から送出されてきたロール材シート１０３を巻取りボビン１０７に位置決めセットする必要がある。このセッティングは作業者が行うことになる。つまり、ロール材シート１０３が作業者により所定のパスラインに通された後に、ロール材シート１０３の先端部が接着テープなどで巻取りボビン１０７に貼り付けてセットされる。
【００２０】
このロール材シート１０３のセット時には、図９に示されているように、ＥＰＣ１２７のセンサ１２５の位置とロール材シート１０３のエッジ１０３Ａ（ＥＰＣ１２７側の）をロール材シート１０３の搬送方向と同方向に直線で結べるように位置決めしてロール材シート１０３の先端部を巻取りボビン１０７に貼り付ける必要がある。なお、ＥＰＣ１２７はロール材シート１０３の幅寸法が変わるとセンサ１２５の位置を変更する必要がある。
【００２１】
しかし、作業者がロール材シート１０３を巻取りボビン１０７に貼り付けるときに、図１０に示されているように、ロール材シート１０３が巻取りボビン１０７の貼り付けるべき正規の位置から例えばズレ量Ｓでずれていると、ロール材シート１０３のエッジ１０３ＡがＥＰＣ１２７のセンサ１２５の位置からずれてしまうことになる。
【００２２】
すると、この後にロール材シート１０３が巻取りボビン１０７に巻き取られる場合、ＥＰＣ１２７のセンサ１２５の位置がロール材シート１０３のエッジ１０３Ａに入るように（エッジ１０３Ａを捕らえるように）可動装置１１９が図１０において下方向へ動くことになる。これに伴って、巻取り部本体１１７が図１０において下方の二点鎖線の位置へ移動するので、巻取りボビン１０７も二点鎖線の位置の下方へ移動することになる。そのために、巻取りボビン１０７に巻き取られるロール材シート１０３のエッジ１０３Ａが二点鎖線のように下方へずれることになる。
【００２３】
その結果、ＦＰＣなどのロール材シート１０３は伸び率が小さいために、ロール材シート１０３が例えば竹の子状に斜めに巻き崩れた状態で巻取りボビン１０７に巻き取られる。そのために、ロール材シート１０３の片側に張力がかかってしまうので、巻取りボビン１０７に巻き取られたロール材シート１０３が全て不良になってしまうという問題点があった。このような不具合の発生頻度は作業者によって異なるので、作業者の熟練度に左右するものであった。つまり、ロール材シート１０３を巻取りボビン１０７にセットする位置が作業者によって大きなバラツキがあり、作業者によってロール材シート１０３の巻き崩れが起きるという問題点があった。
【００２４】
なお、上記のロール材シート１０３を巻取りボビン１０７にセットするときは、回路形成装置から送出されるロール材シート１０３は停止しているのではない。すなわち、回路形成ライン上のロール材シート１０３が終わるまでは停止することなく、例えば２〜５ｍ／ｍｉｎの速度でロール材シート１０３が繰り出されつづける状況にあるので、素早くセットする必要がある。
【００２５】
また、特許文献１の巻取り装置では、支管が第１及び第２の幅規制板によって長手方向のセンター振り分け位置に位置決めされるとしても、巻き取られる印字媒体が走行される際に印字媒体の幅方向に揺動しても、この巻取り装置には揺動によるズレを吸収するものがないために、巻き取られる印字媒体に偏りの張力がかかるので、印字媒体に少なからぬ悪影響を与えるという問題点があった。
【００２６】
また、特許文献２では、所謂、巻取り装置に巻き取られるシートの巻き崩れを防止するものではない。
【００２７】
また、特許文献３の巻取り装置では、連続鋼板を切断後に巻き取る際、連続鋼板が蛇行を始めたときに、この鋼板の蛇行を最小にするために、鋼板エッジ検出器によって検出した蛇行量に基づき、ロールスタンド位置制御装置でロールスタンドを水平に回動して傾斜させるので、大がかりな装置を必要とするためにコスト高という問題点があった。また、ロールスタンドを最適な角度で傾斜させるには、鋼板エッジ検出器によって検出した鋼帯のズレ量を最小にするように演算処理装置で演算を行い、この演算結果に基づいてロールスタンドを鋼帯の進行方向に対して角度αだけ水平に回動して傾斜させる必要があるので、演算処理装置やそれに関わる装置を必要とするために複雑でコスト高になるという問題点があった。
【００２８】
また、特許文献４では、複数個のエッジセンサを必要とし、複数個のエッジセンサによるストリップの偏位量を演算処理するための制御装置を必要とするので、コスト高になるという問題点があった。
【課題を解決するための手段】
【００２９】
上記発明が解決しようとする課題を達成するために、この発明のロール材巻取り装置は、製造ライン上で送出されるロール材シートを巻き取る巻取りボビンと、前記ロール材シートのエッジを検出するセンサを備えたロール材端部検出装置と、前記センサの位置と前記ロール材シートのエッジとを常時一致させる方向に前記ロール材端部検出装置と巻取りボビンを一体的に移動せしめる可動装置と、を備えたロール材巻取り装置において、
前記ロール材シートの搬送方向と同方向で、かつ前記ロール材端部検出装置のセンサの位置を通過する直線上で前記巻取りボビンにロール材シートのセット位置を表示するセット位置表示手段を設けてなることを特徴とするものである。
【００３０】
また、この発明のロール材巻取り装置は、前記ロール材巻取り装置において、前記セット位置表示手段が、前記ロール材端部検出装置と巻取りボビンの移動と連動する構成であることが好ましい。
【００３１】
また、この発明のロール材巻取り装置は、前記ロール材巻取り装置において、前記セット位置表示手段が、前記巻取りボビンの表面にレーザ線を表示するレーザポインタであることが好ましい。
【発明の効果】
【００３２】
以上のごとき課題を解決するための手段から理解されるように、この発明によれば、前記巻取りボビンには、セット位置表示手段により、ロール材シートの搬送方向と同方向で、かつ前記ロール材端部検出装置のセンサの位置を通過する直線上でロール材シートのセット位置を表示するので、作業者がロール材エッジを常に巻取りボビンの同じ表示位置にセットできる。その結果、ロール材シートのセット位置は作業者の違いによるばらつきが小さくなり、ロール材の巻き崩れを防止することができる。
【発明を実施するための最良の形態】
【００３３】
以下、この発明の実施の形態について図面を参照して説明する。
【００３４】
図１（Ａ），（Ｂ）を参照するに、この実施の形態に係るロール材巻取り装置１は、製造ライン上で送出されるロール材シート３の張力を検出するための張力検出部５と、この張力検出部５を通過後のロール材シート３を巻取りボビン７に巻き取るための巻取り部９が、ベース部１１の上に設けられている。
【００３５】
また、この実施の形態では、ロール材シート３を一時的に停留せしめるアキュームレータ１３が、ロール材シート３の搬送方向で上記の張力検出部５の手前側〔図１（Ｂ）において左側〕に設けられている。すなわち、上記のアキュームレータ１３を設けることで、巻取りボビン７にロール材シート３をセッティングするときに、一時的にロール材シート３が巻取りボビン７の方へ流れて来ないようにすることができる。
【００３６】
上記の各装置について詳しく説明すると、上記のアキュームレータ１３は、図１（Ｂ）に示されているように、例えば５本のローラ１５Ａ〜１５Ｅが回転自在に軸承された状態で、アキュームレータ本体１７の側面に突出している。なお、５本のローラ１５Ａ〜１５Ｅのうちの両外側のローラ１５Ａ、１５Ｅはガイドローラとしての機能をもって固定されている。一方、中間の３本のローラ１５Ｂ，１５Ｃ，１５Ｄは、通常では、送出されるロール材シート３の搬送に支障を来さないように実線の位置で待機している状態にあるが、ロール材シート３を一時的に停留せしめる際には図１（Ｂ）の一点鎖線上を上下方向に移動する構成である。
【００３７】
また、張力検出部５は、張力検出部本体１９がベース部１１の上に固定されており、前記張力検出部本体１９の側面〔図１（Ａ）において下側の側面〕には例えば３本の張力調整用のローラ２１Ａ〜２１Ｃが回転自在に軸承された状態で突出している。なお、３本のローラ２１Ａ〜２１Ｃのうちの真ん中のローラ２１Ｂの両端には図示しないロードセルが仕込まれており、ロール材シート３の巻取り張力を一定にするために図１（Ｂ）において上下方向に移動する構成である。
【００３８】
巻取り部９は、巻取り部本体２３がベース部１１の上に可動装置２５を介してロール材シート３の幅方向〔図１（Ａ）において上下方向〕と同方向に揺動可能に設けられている。なお、可動装置２５は、例えば図１（Ａ）において上下方向に延びる２本のＬＭガイドレールと、このＬＭガイドレール上を移動自在に設けた複数のＬＭガイドとからなり、前記各ＬＭガイドはＬＭガイドレールに沿って設けたボールねじの回転によりナット部材を介して駆動される構成であり、前記巻取り部本体２３は前記複数のＬＭガイドの上面に固定されている。したがって、前記ボールねじがサーボモータなどの回転駆動装置で正逆回転されることで、巻取り部本体２３が複数のＬＭガイドを介して図１（Ａ）において上下方向に移動調整される。
【００３９】
さらに、前記巻取り部本体２３の側面〔図１（Ａ）において下側の側面〕には、ガイドローラ２７が回転自在に軸承された状態で突出しており、前記ガイドローラ２７のロール材搬送方向において前方側〔図１（Ｂ）において右方側〕には、ロール材シート３を巻き取るための巻取りボビン７をセットする巻取り軸２９が前記巻取り部本体２３の内部に備えた図示しない巻取り用モータで回転駆動される構成で前記巻取り部本体２３の同じ側面〔図１（Ａ）において下側の側面〕に突出している。
【００４０】
さらに、前記ガイドローラ２７のロール材搬送方向において後方側〔図１（Ｂ）において左方側〕には、ロール材シート３のエッジ３Ａが常に同じラインを通るように制御するためにロール材シート３のエッジ３Ａを検出するセンサ３１を備えたロール材端部検出装置としての例えばエッジポジションセンサ３３（以下、「ＥＰＣ」という）が前記巻取り部本体２３の同じ側面〔図１（Ａ）において下側の側面〕に設けられている。
【００４１】
また、巻取り軸２９に装着した巻取りボビン７の上方位置には、ロール材シート３の搬送方向と同方向で、かつ前記ＥＰＣ３３のセンサ３１の位置を通過する直線上で前記巻取りボビン７にロール材シート３のセット位置を表示するセット位置表示手段としての例えばレーザポインタ３５が前記巻取り部本体２３の同じ側面〔図１（Ａ）において下側の側面〕に突出して設けられている。
【００４２】
なお、レーザポインタ３５は、図２、図３及び図４に示されているように、巻取り部本体２３の同じ側面〔図１（Ａ）において下側の側面〕に巻取りボビン７の上方位置で突出固定されたアーム状のレーザポインタ用支持部材３７に設けられており、上記の巻取りボビン７の表面にロール材シート３の搬送方向と同方向の直線状にレーザ線３９を表示するものであることが望ましい。この場合は、レーザポインタ３５から投光されるレーザ線３９が扇形状で、かつその扇面がロール材シート３の搬送方向と同方向であることで、巻取りボビン７の表面に直線状のレーザ線表示４１が映し出されることになる。したがって、巻取りボビン７の表面に例えばマーキングペンなどの筆記具で物理的にマーキングする必要がないので、幾種類もの巻取りボビン７を交換しても、容易に巻取りボビン７の表面に直線状のレーザ線表示４１を映し出すことができる。
【００４３】
なお、レーザポインタ３５からレーザ線３９がピンポイントで巻取りボビン７の表面に表示されるものであっても、その目的は達成するので直線状の表示に限定されないが、直線状のレーザ線表示４１の場合はロール材シート３がより一層巻取りボビン７にセッティングし易くなるという点で望ましい。
【００４４】
なお、上記のレーザポインタ３５は、例えばレーザポインタ用支持部材３７上でロール材シート３の幅方向と同方向に移動可能にして移動調整自在にすることで、ロール材シート３の搬送方向におけるレーザポインタ３５の位置をＥＰＣ３３のセンサ３１の位置に合わせるように容易に微調整することができる。
【００４５】
例えば、レーザポインタ用支持部材３７は、巻取り部本体２３の側面に突出固定された支持シャフト３７Ａと、この支持シャフト３７Ａに例えば図示しないボールベアリングなどの軸受を介してスライド自在に設けたレーザポインタ取付部３７Ｂと、このレーザポインタ取付部３７Ｂを突き当てて位置決めするための第１突当てカラー３７Ｃと、レーザポインタ取付部３７Ｂを突き当てて位置決めするための第２突当てカラー３７Ｄと、で構成されている。なお、レーザポインタ３５はレーザポインタ取付部３７Ｂに取り付けられており、第１，第２突当てカラー３７Ｃ，３７Ｄは支持シャフト３７Ａに取り付けられている。また、第１突当てカラー３７Ｃは例えば５００ｍｍ幅のロール材シート３を位置決めするための突当て部材であり、第２突当てカラー３７Ｃは例えば２５０ｍｍ幅のロール材シート３を位置決めするための突当て部材である。
【００４６】
また、上記の可動装置２５は、ＥＰＣ３３の信号を受けて図１（Ａ）において上下方向（ロール材シート３の幅方向）に揺動する構成である。すなわち、ロール材シート３が搬送される過程で矢印Ａの方向へ移動したときは可動装置２５により巻取り部本体２３が矢印Ａの方向へ動き、ロール材シート３が矢印Ｂの方向へ移動したときは可動装置２５により巻取り部本体２３が矢印Ｂの方向へ移動する。
【００４７】
上記構成により、最初に、製造ライン上で例えば回路形成装置から送出されてきたロール材シート３は、アキュームレータ１３の５本のローラ１５Ａ〜１５Ｅの間を通過する。このとき、中間の３本のローラ１５Ｂ，１５Ｃ，１５Ｄは図１（Ｂ）の実線の待機位置にある。さらに、前記ロール材シート３は、張力検出部５の３本の張力調整用のローラ２１Ａ〜２１Ｃを通過し、巻取り部９のＥＰＣ３３を経てガイドローラ２７を通過し、巻取り軸２９に装着した巻取りボビン７へ送出される。この実施の形態では回路形成装置から送出されるロール材シート３は例えば２〜５ｍ／ｍｉｎの速度で繰り出される。
【００４８】
このようにして送出されたロール材シート３は、作業者により接着テープ４３などの固定手段で巻取りボビン７に貼り付けてセットする必要がある。このロール材シート３が巻取りボビン７にセッティングされるときであっても、ロール材シート３は停止することなく送出されるので、アキュームレータ１３の中間の３本のローラ１５Ｂ，１５Ｃ，１５Ｄを図１（Ｂ）の実線の位置から二点鎖線へ上下方向に移動せしめて、送出されてくるロール材シート３に張力を持たせるようにしてアキュームレータ１３にてロール材シート３を一時的に停留せしめるので、一時的にロール材シート３が巻取りボビン７の方へ流れて来ないようになる。したがって、ロール材シート３のセッティング作業を行い易くなる。
【００４９】
この間に、図２及び図４に示されているように、作業者により、ロール材シート３の先端部のエッジ３Ａが巻取りボビン７の表面に直線状に表示されたレーザ線表示４１に位置合わせされてから、ロール材シート３の先端が接着テープ４３などの固定手段で巻取りボビン７に貼り付けられて固定セットされる。
【００５０】
以上のように、ロール材シート３の先端部のエッジ３Ａが、作業者によってばらつくことなく、確実に巻取りボビン７の所定のセット位置、つまり、ロール材シート３の搬送方向と同方向で、かつ前記ＥＰＣ３３のセンサ３１の位置を通過する直線上に位置決めされ、しかも、素早くセットされる。
【００５１】
上記の巻取りボビン７にロール材シート３の先端部をセット完了した後は、巻取りボビン７が図示しない巻取り用モータで回転駆動されることで、ロール材シート３が巻取りボビン７に巻き付けられることになる。これに伴って、張力検出部５で検出されるロール材シート３の張力が一定に保持されるようにしながら、アキュームレータ１３の中間の３本のローラ１５Ｂ，１５Ｃ，１５Ｄが再び図１（Ｂ）の実線の原位置へ移動する。その後は、張力検出部５で検出されるロール材シート３の張力が一定に保持されるように調整されながら、製造ライン上で送出されるロール材シート３が巻取りボビン７に巻き付けられる。
【００５２】
この巻取り過程において、送出されるロール材シート３のエッジ３ＡがＥＰＣ３３のセンサ３１の位置から外れると、ＥＰＣ３３のセンサ３１の位置でロール材シート３のエッジ３Ａを検出する方向に前記巻取り部本体２３を移動せしめるように可動装置２５が作動する。これに伴って、前記巻取り部本体２３の同じ側面に設けた巻取りボビン７も同じ方向に移動するので、ロール材シート３は常時巻取りボビン７の同じ位置に巻き取られることとなる。
【００５３】
その結果、ロール材シート３が例えば竹の子状に斜めに巻き崩れた状態で巻取りボビン７に巻き取られる現象は生じないので、巻取りボビン７に巻き取られるロール材シート３の片側に張力がかかってしまうためにロール材シート３が不良品になるという事態は無くなる。
【００５４】
なお、前述した実施の形態のセット位置表示手段としては、レーザポインタ３５が用いられているが、他の実施の形態のセット位置表示手段としては、機械的にセット位置（ロール材シート３の貼付位置）を指示するものであってもよい。
【００５５】
例えば、図５及び図６に示されているように、棒状のセット位置表示部材４５が、巻取り部本体２３の同じ側面（図５において左側面）に巻取りボビン７の上方位置で突出固定されたアーム状の支持部材４７に、ロール材シート３の搬送方向と同方向の面で回動可能に設けられる。なお、セット位置表示部材４５は図６において時計回りに回動したときに、その先端部が巻取りボビン７の表面に当接するものである。セット位置表示部材４５の先端部が巻取りボビン７の表面に当接した位置がロール材シート３のセット位置になる。
【００５６】
したがって、ロール材シート３の先端部のエッジ３Ａをセット位置表示部材４５に突き当てることで、簡単にかつ確実に同じ位置でロール材シート３の先端部を巻取りボビン７の表面に位置決めセットすることができる。なお、このセッティングが完了した後は、セット位置表示部材４５を図６において反時計回り方向に回動して二点鎖線の位置で待機させることで、その後のロール材シート３の巻き取りには支障を来さない。ロール材シート３の巻き取りにおける他の作用は、前述した実施の形態とほぼ同様であるので、詳しい説明は省略する。
【００５７】
さらに、他の実施の形態の機械的なセット位置表示手段としては、図示していないが、例えば紐などの線条体が、巻取り部本体２３の側面〔図１（Ａ）において下側の側面に該当〕に突出する２本の支持部材の先端部の間を結ぶようにして、ロール材シート３の搬送方向と同方向で、かつＥＰＣ３３のセンサ３１の位置を通過する直線上に張り出されると共に前記線条体が巻取りボビン７の表面に接触するように構成にすることもできる。この場合は、巻取りボビン７の表面に接触した線条体の位置がロール材シート３のセット位置になり、ロール材シート３の巻き取りにおける作用、効果は、前述した実施の形態とほぼ同様であるので、詳しい説明は省略する。
【００５８】
なお、前述した実施の形態ではアキュームレータ１３を用いているが、アキュームレータ１３はロール材シート３の先端部のエッジ３Ａを巻取りボビン７にセットするときに必ずしも必要ではないので、この発明のロール材巻取り装置１にはアキュームレータ１３が無くても適用されるものである。
【図面の簡単な説明】
【００５９】
【図１】この発明の実施の形態のロール材巻取り装置を示すもので、（Ａ）は平面図で、（Ｂ）は正面図である。
【図２】この発明の実施の形態のセット位置表示手段の側面図である。
【図３】図２のセット位置表示手段の正面図である。
【図４】図２のセット位置表示手段の平面図である。
【図５】この発明の他の実施の形態のセット位置表示手段の側面図である。
【図６】図５のセット位置表示手段の正面図である。
【図７】従来のロール材巻取り装置の平面図である。
【図８】図７の正面図である。
【図９】従来のロール材巻取り装置の拡大平面図である。
【図１０】従来のロール材巻取り装置で不具合を生じる巻き取り状態を示す平面図である。
【符号の説明】
【００６０】
１  ロール材巻取り装置
３  ロール材シート
３Ａ  エッジ（ロール材シートの）
５  張力検出部
７  巻取りボビン
９  巻取り部
１１  ベース部
１３  アキュームレータ
１５Ａ〜１５Ｅ  ローラ
１７  アキュームレータ本体
１９  張力検出部本体
２１Ａ〜２１Ｃ  ローラ
２３  巻取り部本体
２５  可動装置
２７  ガイドローラ
２９  巻取り軸
３１  センサ
３３  ＥＰＣ（エッジポジションセンサ；ロール材端部検出装置）
３５  レーザポインタ（セット位置表示手段）
３７  レーザポインタ用支持部材
３９  レーザ線
４１  レーザ線表示
４３  接着テープ
【図１】
2008239285.tif 000003
【図２】
2008239285.tif 000004
【図３】
2008239285.tif 000005
【図４】
2008239285.tif 000006
【図５】
2008239285.tif 000007
【図６】
2008239285.tif 000008
【図７】
2008239285.tif 000009
【図８】
2008239285.tif 000010
【図９】
2008239285.tif 000011
【図１０】
2008239285.tif 000012